(57)【要約】【課題】  簡単な処理で、接続相手が異なった場合に、接続相手の画像音声視聴装置毎に異なる再生点に頭出しをして再生することで操作性を向上する。【解決手段】  本発明の画像音声記録再生装置は、画像信号処理を施した画像情報及び音声信号処理を施した音声情報を外部の画像音声視聴装置３６に表示するために通信手段５２により画像音声視聴装置との間で通信をする。マイクロコンピュータ２５は、画像音声視聴装置の個体識別情報を取得し、画像情報及び音声情報のファイルの再生履歴を、個体識別情報毎に記憶し、通信手段５２により再度接続して画像音声視聴装置で視聴する際に、接続相手毎に異なる前回の再生履歴から、それぞれの接続相手である画像音声視聴装置に対して不適切なファイル選択を避けて前回再生したファイルを特定し、前回再生したファイルに対する再生指示操作のみでファイルの頭出しを行う。【選択図】        図１
2007060018.tif 000002
【特許請求の範囲】
【請求項１】
撮像手段により撮像した画像情報に対して画像信号処理手段により画像信号処理を施して、上記画像信号処理を施した画像情報を表示手段に表示すると共に、音声収録手段により収録した音声情報に対して音声信号処理手段により音声信号処理を施して、上記音声信号処理を施した音声情報を音声出力手段に音声出力して記録手段により記録媒体に記録する画像音声記録再生装置において、
上記画像信号処理を施した画像情報及び上記音声信号処理を施した音声情報を外部の画像音声視聴装置に表示するために上記画像音声視聴装置との間で通信をする通信手段と、
上記画像音声視聴装置の個体識別情報を取得する取得手段と、
上記取得手段により取得した上記画像音声視聴装置で視聴した画像情報及び音声情報のファイルの再生履歴を、上記通信手段により接続した上記画像音声視聴装置の個体識別情報毎に記憶する記憶手段と、
上記通信手段により再度接続して上記画像音声視聴装置で視聴する際に、接続相手毎に異なる前回の再生履歴から、それぞれの接続相手である画像音声視聴装置に対して不適切なファイル選択を避けて前回再生したファイルを特定する特定手段と、
上記ファイル特定手段により特定した前回再生したファイルに対する再生指示操作のみでファイルの頭出しを行う頭出し手段と、
を備えたことを特徴とする画像音声記録再生装置。
【請求項２】
上記頭出し手段は、前回再生したファイルの再生状態に応じて頭出し位置を変えるようにしたことを特徴とする請求項１に記載の画像音声記録再生装置。
【請求項３】
上記頭出し手段は、前回再生したファイルの再生開始点及び再生終了点が最初から最後までのとき、頭出し位置をファイル先頭にすることを特徴とする請求項２に記載の画像音声記録再生装置。
【請求項４】
上記頭出し手段は、前回再生したファイルの再生開始点及び再生終了点が途中から最後までのとき、頭出し位置を前回再生開始点にすることを特徴とする請求項２に記載の画像音声記録再生装置。
【請求項５】
上記頭出し手段は、前回再生したファイルの再生開始点及び再生終了点が最初から途中まで、又は途中から途中までのとき、頭出し位置を前回再生終了点にすることを特徴とする請求項２に記載の画像音声記録再生装置。
【請求項６】
上記再生履歴がないときは、全ファイル情報を再生日時順で並べたプレイリストを表示し、上記頭出し手段は、頭出し位置を再生指示操作されたファイルの先頭にすることを特徴とする請求項１に記載の画像音声記録再生装置。
【請求項７】
撮像した画像情報に対して画像信号処理を施して、上記画像信号処理を施した画像情報を表示すると共に、収録した音声情報に対して音声信号処理を施して、上記音声信号処理を施した音声情報を音声出力して記録媒体に記録する画像音声記録再生方法において、
上記画像信号処理を施した画像情報及び上記音声信号処理を施した音声情報を外部の画像音声視聴装置に表示及び音声出力するために上記画像音声視聴装置との間で通信をする通信ステップと、
上記画像音声視聴装置の個体識別情報を取得する取得ステップと、
上記取得した上記画像音声視聴装置で視聴した画像情報及び音声情報のファイルの再生履歴を、上記通信により接続した上記画像音声視聴装置の個体識別情報毎に記憶する記憶ステップと、
上記画像音声視聴装置と再度接続して視聴する際に、接続相手毎に異なる前回の再生履歴から、それぞれの接続相手である上記画像音声視聴装置に対して不適切なファイル選択を避けて前回再生したファイルを特定する特定ステップと、
上記特定した前回再生したファイルに対する再生指示操作のみでファイルの頭出しを行う頭出しステップと、
を含むことを特徴とする画像音声記録再生方法。
【請求項８】
撮像手段により撮像した画像情報に対して画像信号処理手段により画像信号処理を施して、上記画像信号処理を施した画像情報を表示手段に表示すると共に、音声収録手段により収録した音声情報に対して音声信号処理手段により音声信号処理を施して、上記音声信号処理を施した音声情報を音声出力手段に音声出力して記録手段により記録媒体に記録する画像音声記録再生装置と、上記画像音声記録再生装置と接続されて上記画像信号処理を施した画像情報を表示及び上記音声信号処理を施した音声情報を音声出力する外部の画像音声視聴装置と、を有する画像音声記録再生システムにおいて、
上記画像音声記録再生装置は、
上記画像信号処理を施した画像情報及び上記音声信号処理を施した音声情報を外部の画像音声視聴装置に表示するために上記画像音声視聴装置との間で通信をする通信手段と、
上記画像音声視聴装置の個体識別情報を取得する取得手段と、
上記取得手段により取得した上記画像音声視聴装置で視聴した画像情報及び音声情報のファイルの再生履歴を、上記通信手段により接続した上記画像音声視聴装置の個体識別情報毎に記憶する記憶手段と、
上記通信手段により再度接続して上記画像音声視聴装置で視聴する際に、接続相手毎に異なる前回の再生履歴から、それぞれの接続相手である画像音声視聴装置に対して不適切なファイル選択を避けて前回再生したファイルを特定する特定手段と、
上記ファイル特定手段により特定した前回再生したファイルに対する再生指示操作のみでファイルの頭出しを行う頭出し手段と、
を備え、
上記外部の画像音声視聴装置は、
上記画像音声記録再生装置の個体識別情報を記憶する記憶手段を備えた
ことを特徴とする画像音声記録再生システム。
【発明の詳細な説明】
【技術分野】
【０００１】
本発明は、例えば、テレビモニタに接続可能なカメラ一体型記録再生装置などに適用される画像音声記録再生装置、画像音声記録再生方法及び画像音声記録再生システムに関する。
【背景技術】
【０００２】
従来から、テレビモニタなどの画像音声記録再生装置に接続可能なデジタルカメラにおいて、大量の映像・音声メディア等の再生において任意のメディアの任意の記録位置を指定して再生開始点とする手段として、利用者がメディアオブジェクトの特定区間に注釈、コメントを付加してそれを検索することにより、再生開始点指定を容易化する方法が公開されている（特許文献１参照）。
【０００３】
また、ＤＶＤレコーダー等の画像音声記録再生装置において途中まで再生、視聴したファイルの再生終了点を記憶しておき、次回に視聴する際に再生指定のみで前回の終了点をスタート点として再生するといういわゆるレジューム機能は一般的である。また、視聴したいファイルの選択においてユーザーの操作履歴を記憶しておき、そのデータを表示することによってユーザーのファイル選択や再生開始点の指定を支援する方法や自動的に箇所を特定する方法が公開されている（特許文献２、特許文献３、特許文献４等参照）。
【０００４】
一方で持ち運びが可能なカメラ一体型記録再生装置、デジタルカメラ等のモバイル画像音声記録再生装置では様々な場所に持って行き、本体付属の画像音声視聴装置、音声出力装置よりもより高品位に視聴が可能である画像音声視聴装置と接続して視聴するということが可能である。
【特許文献１】特開平１０−２１２６１号公報
【特許文献２】特開２００５−７３０３７号公報
【特許文献３】特開２００２−３４４８４９号公報
【特許文献４】特開平１１−２１３６３０号公報
【発明の開示】
【発明が解決しようとする課題】
【０００５】
しかし、特許文献１に記載のデジタルカメラは、ユーザーによる注釈付加の処理が発生し、その処理が煩雑になるという不都合が生じていた。
また、特許文献２、特許文献３、特許文献４に記載のデジタルカメラは、接続される画像音声視聴装置を考慮したものではなく、接続相手が異なった場合でも同一の動作を行うため、操作性が低下するという不都合があった。
【０００６】
また、場所や画像音声視聴装置が異なれば、それを通して視聴するユーザーも異なり、見るファイルも異なるため、単一の画像音声視聴装置の視聴を想定した頭出し処理では視聴したいファイルや再生開始点とは的外れな頭出し位置の選択となる可能性が高い。その場合には再度プレイリスト等からのファイル選択が必要であり、前回その接続相手の画像音声視聴装置で途中まで視聴したファイルが存在してもキュー／レビュー（Cue/Review）等の操作により最初の再生位置への頭出しの動作が必要となる。
また、無意識にあるいは不用意に再生してしまうと場合によってはその場では見せたくないファイルを視聴可能としてしまうためプライバシー保護が十分でなくなるということも考えられる。
【０００７】
そこで、これらの状況を鑑み、本発明では、簡単な処理で、接続相手が異なった場合に、接続相手の画像音声視聴装置毎に異なる再生点に頭出しをして再生することで操作性を向上することができる画像音声記録再生装置、画像音声記録再生方法及び画像音声記録再生システムを提供することを目的とする。
【課題を解決するための手段】
【０００８】
上記課題を解決し、本発明の目的を達成するため、本発明の画像音声記録再生装置は、画像信号処理を施した画像情報及び音声信号処理を施した音声情報を外部の画像音声視聴装置に表示するために画像音声視聴装置との間で通信をする通信手段と、画像音声視聴装置の個体識別情報を取得する取得手段と、取得手段により取得した画像音声視聴装置で視聴した画像情報及び音声情報のファイルの再生履歴を、通信手段により接続した画像音声視聴装置の個体識別情報毎に記憶する記憶手段と、通信手段により再度接続して画像音声視聴装置で視聴する際に、接続相手毎に異なる前回の再生履歴から、それぞれの接続相手である画像音声視聴装置に対して不適切なファイル選択を避けて前回再生したファイルを特定する特定手段と、ファイル特定手段により特定した前回再生したファイルに対する再生指示操作のみでファイルの頭出しを行う頭出し手段と、を備えたものである。
【０００９】
また、本発明の画像音声記録再生方法は、画像信号処理を施した画像情報及び音声信号処理を施した音声情報を外部の画像音声視聴装置に表示及び音声出力するために画像音声視聴装置との間で通信をする通信ステップと、画像音声視聴装置の個体識別情報を取得する取得ステップと、取得ステップにより取得した画像音声視聴装置で視聴した画像情報及び音声情報のファイルの再生履歴を、通信ステップによりにより接続した画像音声視聴装置の個体識別情報毎に記憶する記憶ステップと、通信ステップにより再度接続して画像音声視聴装置で視聴する際に、接続相手毎に異なる前回の再生履歴から、それぞれの接続相手である画像音声視聴装置に対して不適切なファイル選択を避けて前回再生したファイルを特定する特定ステップと、ファイル特定ステップにより特定した前回再生したファイルに対する再生指示操作のみでファイルの頭出しを行う頭出しステップと、を含むものである。
【００１０】
また、本発明の画像音声記録再生システムは、画像音声記録再生装置は、画像信号処理を施した画像情報及び音声信号処理を施した音声情報を外部の画像音声視聴装置に表示するために画像音声視聴装置との間で通信をする通信手段と、画像音声視聴装置の個体識別情報を取得する取得手段と、取得手段により取得した画像音声視聴装置で視聴した画像情報及び音声情報のファイルの再生履歴を、通信手段により接続した画像音声視聴装置の個体識別情報毎に記憶する記憶手段と、通信手段により再度接続して画像音声視聴装置で視聴する際に、接続相手毎に異なる前回の再生履歴から、それぞれの接続相手である画像音声視聴装置に対して不適切なファイル選択を避けて前回再生したファイルを特定する特定手段と、ファイル特定手段により特定した前回再生したファイルに対する再生指示操作のみでファイルの頭出しを行う頭出し手段と、を備え、外部の画像音声視聴装置は、画像音声記録再生装置の個体識別情報を記憶する記憶手段を備えたものである。
【００１１】
上述した本発明の画像音声記録再生装置、画像音声記録再生方法及び画像音声記録再生システムによれば、例えば、持ち運びが容易で、記録メディアを内蔵あるいは着脱可能なカメラ一体型記録再生装置、デジタルカメラ等の画像音声記録再生装置であって、接続されたテレビ、ディスプレイ、プロジェクター等の画像音声視聴装置の個体識別情報を通信手段によって取得し記憶するようにする。
【００１２】
そして、その接続相手となる画像音声視聴装置にて視聴したファイルや画像/音声信号コンテンツの再生履歴を接続相手毎に記憶しておく。これにより再度画像音声視聴装置を接続して視聴する際に接続相手毎に異なる前回の再生履歴から、それぞれの接続相手である画像音声視聴装置に対して不適切なファイル選択を避け、再生指示操作のみ簡単に頭出しを行うことが可能である。
【発明の効果】
【００１３】
本発明によれば、テレビモニタなどの画像音声視聴装置に接続可能なカメラ一体型記録再生装置などに適用される画像音声記録再生装置、画像音声記録再生方法及び画像音声記録再生システムにおいて、持ち運びが容易な撮像機器で使用者が撮影してきた画像、音声を再生して、視聴する際に、接続する画像音声視聴装置の情報を記憶し、これを利用して、次回の接続時に接続相手の画像音声視聴装置毎に異なる再生終了点から継続して再生することを再生指定操作のみで行うことができるので、操作性が向上するという効果を奏する。
【発明を実施するための最良の形態】
【００１４】
以下、本発明の実施の形態について、適宜、図面を参照しながら説明する。
図１は、本発明の実施の形態例となるシステム構成を示した図である。
図１において、画像音声記録再生装置１は、イメージセンサー６に対して撮像のための光を取り込むズームレンズ３、フォーカスレンズ４及びアイリス５からなる光学系２と、ズームレンズ３、フォーカスレンズ４及びアイリス５の各光学系２を駆動する２８，２９及び３０からなる光学系ドライバ・アクチュエータ２７と、イメージセンサー６とそれを駆動するタイミング発生器３１及びドライバー３３とを備えている。
【００１５】
また、画像音声記録再生装置１は、イメージセンサー６からの出力信号をサンプルホールド、黒レベルクランプ、ゲインコントロール等の処理を行うアナログフロントエンド部７と、その出力をデジタル信号に変換するＡ／Ｄコンバータ部８と、画像の明るさ、カラーバランス、周波数特性、階調特性、色相、彩度、画素数等を調整、変換可能として、イメージセンサー６により撮像されたデジタル信号画像を記録、伝送、表示のための信号処理するカメラ信号処理部９とを備えている。
【００１６】
このカメラ信号処理部９はイメージセンサー６側からの信号のみならず後述する記録メディアからの再生信号や外部ストリームからの画像信号も処理が可能な入力部を備えている。
【００１７】
画像音声記録再生装置１は、カメラ信号処理部９からの画像信号や記録メディア４４からの再生信号、外部ストリームインターフェース４６からの入力画像信号を選択するスイッチ１８と、これらの画像信号を保持する画像メモリ１１と、画像メモリ１１に保持した画像信号のノイズを除去するノイズリダクション部１２と、画像メモリ１１に保持した画像信号を必要に応じて画素数変換等処理を行うことによりLCD(liquid crystal display)パネル等の画像表示部１７に表示する画素数変換部１３，１５と、これらの画像信号にマイクロコンピュータ２５からの指示によってLCDパネル等の画像表示部１７用の出力、外部画像音声視聴装置５３用の出力にそれぞれGUI（graphical user interface）を重畳して出力するGUI生成重畳部１４、OSD（on screen display）生成重畳部１６を有するベースバンド信号処理部１０を備えている。
【００１８】
また、画像音声記録再生装置１は、音声の入力のための左右（Ｌ、Ｒ）のマイクロフォン１９と、アンプ２０Ｌ、２０Ｒと、Ａ／Ｄ変換部２１を有していて、ベースバンド信号処理部１０は、マイクロフォン１９からの音声入力や記録メディア４４からの再生信号、外部ストリームインターフェース４６からの入力信号のレベル調整を行うレベル調整部２２と、指向性を調整する指向性調整部２３と、風音低減などの信号処理を行うノイズ低減部２４を備えている。
【００１９】
また、画像音声記録再生装置１は、ベースバンド信号処理後のカメラ側の画像信号、記録メディアからの再生信号、外部ストリームからの入力画像、及びＧＵＩ等を表示する画像音声記録再生装置本体に搭載されているLCDパネル等の画像音声視聴装置１７と、ベースバンド信号処理後のカメラ側の音声信号、記録メディアからの再生信号、外部ストリームからの入力音声をＤ／Ａ変換部３７及びアンプ３８を介して出力する画像音声記録再生装置本体に搭載されているスピーカー３９とを備えている。以上の各部をもってカメラ部が構成されている。
【００２０】
また、画像音声記録再生装置１は、カメラ信号処理部９からの出力信号を記録メディアに記録するため、又は記録メディアに記録された信号を再生するため圧縮伸張を行う、あるいは外部から入力される、又は外部へ出力されるストリーム内の画像信号及び音声信号の圧縮伸張を行う符号量圧縮/伸張部４１，４２と、記録メディアに記録、記録メディアから再生又はストリーム伝送処理に適した形に変換するためエラー訂正処理等を行う記録・再生・伝送用処理部４３と、内蔵でも着脱可能でも構わない記録メディア部４４と、着脱可能な記録メディア部４５と、を備えている。
【００２１】
また、画像音声記録再生装置１は、ストリームの入出力処理を行う外部ストリームインターフェース部４５と、カメラ信号処理部９や伸張された画像データを画像音声視聴装置５３への適した画像フォーマットや色空間への変換を必要に応じて行う出力フォーマット変換部４７と、画像音声視聴装置５３への画像信号及び音声信号の伝送を行う画像信号インターフェース部４８及び音声信号インターフェース部４９と、を備えている。
【００２２】
また、画像音声記録再生装置１は、使用者の操作によって各部の制御のための入力操作を行うユーザーインターフェース２６と、画像音声視聴装置５３の個別識別情報を通信によって取得可能な画像音声視聴装置情報インターフェース部５１と、ネットワークサーバー等とのインターフェース部である通信手段５２と、マイクロコンピュータ２５により各部を制御するためのパラメータや通信によって取得した画像音声視聴装置の個別識別情報データ及び使用者の操作によって取得された情報を格納する不揮発性のメモリであるEEPROM（electrical erasable read only memory）５０と、ユーザーインターフェース２６からの操作情報に基づいて以上各部を自動的、あるいは固定的に制御するホストマイクロコンピュータ２５と、を備えて構成される。
このマイクロコンピュータ２５は時計機能を併せ持ち、記録、再生動作時の年月日、時刻を記憶し、利用可能である。
【００２３】
また、外部に接続される画像音声視聴装置５３は、自身のネットワーク上における個別識別情報を内部記憶する不揮発性のメモリである表示装置情報EEPROM５７を持ち、ここに格納された情報を、情報通信手段５２を通じて画像音声記録再生装置１に送信を行うための装置情報インターフェース部５６と、画像音声記録再生装置１からの画像信号の表示及び音声信号の出力のための受信を行う画像信号インターフェース部５４及び音声信号インターフェース部５５とを備えて構成される。なお、ここで、外部に接続される画像音声視聴装置５３は、画像と音声の両方を視聴できる装置であることを前提とする。
【００２４】
この画像音声視聴装置５３内部の装置情報EEPROM５７に記憶されている個別識別情報データは、メーカー名、製品ＩＤ，シリアルナンバー、製造時期等の個体識別情報であって、これらの情報は、情報通信手段５２を通じて接続された画像音声記録再生装置１との通信により送信可能とされるものである。これらの個別識別情報データは、VESA(Video Electronics Standards Association)規格のEDID(Extended Display Identification Data)に準拠していることが望ましい。
【００２５】
以下、このように構成された画像音声記録再生装置１の接続される画像音声視聴装置５３毎のファイルの特定及び頭だしの動作を説明する。
例えば、テレビ、ディスプレイ、プロジェクター等の画像音声視聴装置５３は、高画質テレビ受像機ＨＤＴＶ対応になっており、そのための高画質化、大画面化が進んでいる。したがって、これらの画像音声視聴装置５３は、大型化ゆえに、個人的な使用としては家庭内では設置場所は固定的であり、かつ、視聴する人も家族や友人、知人といったある程度の範囲に限定されることが多い。また、家庭内以外での環境での画像音声視聴装置５３の設置においても、設置場所は固定されることが殆どである。
【００２６】
一方、モバイル機器であるカメラ一体型記録再生装置、デジタルカメラ、撮影/録音機能付携帯電話、撮影/録音機能付ＰＤＡ(personal digital assistant)等の撮影・記録再生装置は、高画質化とともに小型化の傾向が進んでいる。そして、この小型化・高機能化ゆえに、持ち運び容易で、ユーザーが撮影して記録する画像、音声の再生を機器自体で行うことができ、様々な移動場所に持ち運び、異なる画像音声視聴装置に接続しての視聴が可能となっている。
【００２７】
そして、移動場所の画像音声視聴装置５３に接続して視聴を行う際には、視聴される画像、音声には使用者本人、家族、友人、知人内での共通の嗜好が現れる傾向にある。また、家庭内以外においても特定の設置場所で見る画像、音声信号ソースにはその場所で見るのに適したコンテンツが選択されることが多い。つまり、異なる場所に設置された画像音声視聴装置５３毎に適したコンテンツは異なるものとなる。
【００２８】
このため、複数の画像音声視聴装置５３との接続したときの再生履歴と過去に視聴した画像、音声ファイルの再生履歴情報を、カムコーダ、デジタルカメラ等の画像音声記録再生装置１に記憶しておくことにより、それぞれの接続相手に毎に異なる再生開始点からの頭出しを可能とするようにしている。
【００２９】
次に、画像音声記録再生装置１での個別識別情報の記憶、再生時の頭出しの方法について説明する。
まず、接続相手の画像音声視聴装置５３の個体識別情報と、再生・伝送した画像、音声のファイルの再生履歴情報を記憶する。
次に、視聴しようとするユーザーは画像音声記録再生装置１を画像音声視聴装置５３に通信手段５２を介して接続する。
【００３０】
そして、この通信手段５２を通して、画像音声記録再生装置１は、画像音声視聴装置５３に対して画像、音声の再生または伝送を行うとともに、画像音声視聴装置５３からその個体識別情報の取得を行う。
次に、マイクロコンピュータ２５は、この特定の画像音声視聴装置５３に対して再生または伝送した画像、音声信号のソースとその再生した履歴を関連付けて、取得した画像音声視聴装置５３の個体識別情報を不揮発性メモリ５０にテーブルとして記憶する。
【００３１】
図２は、マイクロコンピュータ２５の不揮発メモリ５０内の記憶テーブルの内容例を示したものである。
図２において、このテーブルの内容としては接続した相手の画像音声視聴装置６１の個体識別情報「X社／機種名P／シリアルNo.xxxxxx」６７、「Y社／機種名Q／シリアルNo.xxxxxx」６８、「Z社／機種名R／シリアルNo.xxxxxx」６９が記憶されている。
また、再生したファイル名６２として、個体識別情報「X社／機種名P／シリアルNo.xxxxxx」６７にはA,D,E,G,K,Mが記憶され、「Y社／機種名Q／シリアルNo.xxxxxx」６８にはB、Cが記憶され、「Z社／機種名R／シリアルNo.xxxxxx」６９にはFが記憶されている。
【００３２】
また、ファイルトータル時間６３として、ファイル名６２のAは「３：４５：２０」が記憶され、Dは「２：５５：１２」が記憶され、Eは「２：０５：３８」が記憶され、Gは「１：３７：２１」が記憶され、Kは「０：１３：１６」が記憶され、Mは「３：０１：０９」が記憶されている。
また、ファイルトータル時間６３として、ファイル名６２のBは「０：２９：１９」が記憶され、Cは「２：００：０１」が記憶され、Fは「０：４９：２２」が記憶されている。
【００３３】
また、視聴終了年月日/時刻６４として、ファイル名６２のAは「２００４．１０．１０／１８：３０：４５」が記憶され、Dは「２００３．９．１３／０８：１２：０６」が記憶され、Eは「２００３．８．２２／０３：５５：１７」が記憶され、Gは「２００４．９．１４／１５：０３：１０」が記憶され、Kは「２００２．９．０２／１３：２２：０１」が記憶され、Mは「２００４．４．２８／１５：３３：０１」が記憶されている。
【００３４】
また、視聴終了年月日/時刻６４として、ファイル名６２のBは「２００４．１１．１０／１９：５６：０２」が記憶され、Cは「２００４．１１．１２／０９：１２：４５」が記憶され、Fは「２００１．１２．２４／２０：１３：４３」が記憶されている。
また、対象ファイルの再生開始点６５として、ファイル名６２のAは「０：００：００」が記憶され、Dは「２：３２：４０」が記憶され、Eは「１：３８：５９」が記憶され、Gは「０：００：００」が記憶され、Kは「０：００：００」が記憶され、Mは「０：００：００」が記憶されている。
【００３５】
また、対象ファイルの再生開始点６５として、ファイル名６２のBは「０：００：００」が記憶され、Cは「１：０８：４６」が記憶され、Fは「０：０２：１１」が記憶されている。
また、再生終了点６６として、ファイル名６２のAは「０：５４：１３」が記憶され、Dは「２：５５：１２」が記憶され、Eは「１：５９：３２」が記憶され、Gは「１：３７：２１」が記憶され、Kは「０：１３：１６」が記憶され、Mは「２：５１：０８」が記憶されている。
【００３６】
また、再生終了点６６として、ファイル名６２のBは「０：２９：１９」が記憶され、Cは「２：００：０１」が記憶され、Fは「０：４５：５４」が記憶されている。
再生開始点６５、再生終了点６６はファイルの先頭からの時間で表し、ファイルに記録されているタイムコード等から取得する。
なお、この例では１つのファイルに対して最近の１回の履歴が残るようになっているが、複数回の履歴を記憶しておいて、後述する頭出しの処理に情報として利用しても良い。
【００３７】
次に、再生履歴の取得処理で記憶した情報を基に接続相手の画像音声視聴装置５３に対してのファイルの再生の頭出しを行う。
図３は、再生開始点指定処理を示すフローチャートである。
まず、ある特定の画像音声視聴装置５３に接続して視聴する場合、マイクロコンピュータ２５は接続した画像音声視聴装置５３の個体識別情報を通信手段５２によって取得する（ステップＳ１）。
【００３８】
そして、接続履歴があるか否かを判断し（ステップＳ２）、ステップＳ２で接続履歴があるときは、マイクロコンピュータ２５は個体識別情報と一致する接続相手の画像音声視聴装置５３の再生履歴の情報を不揮発性メモリ５０から読み出し（ステップＳ３）、再生履歴によって得られる情報から最も再生すべき可能性の高い最近再生したファイルを特定して（ステップＳ４）、その再生開始点を計算する。
【００３９】
以下、その再生開始点の指定処理のアルゴリズムの例を示す。
すなわち、ファイル選択としては接続相手となる画像音声視聴装置５３に対してステップＳ４で最近再生されたファイルを選択する。この選択されたファイルのどこから再生するかという再生開始点の指定では前回の再生履歴の内容として以下の４種類がある。つまり、a)先頭から途中まで再生したもの、b)途中から途中まで再生したもの、c)途中から最後まで再生したもの、d)最初から最後まで再生したものの４つである。このため、前回の再生開始点及び再生終了点がどの場合であるかを判断する（ステップＳ５）。
【００４０】
ここで、a) 先頭から途中まで再生した,b) 途中から途中まで再生した場合には再生終了した点を再生開始点として選択する（ステップＳ８）。
また、c) 途中から最後まで再生した場合は前回再生した内容に重要要素があったと考えて前回再生開始した点を再生開始点として選択する（ステップＳ６）。
また、d) 最初から最後まで再生した場合は対象ファイル全体が重要であったと考え、対象ファイルの先頭を再生開始点として選択する（ステップＳ７）。
【００４１】
さらに、上述の４つの場合以外に、e)記録メディアが着脱式であって交換された場合等も含めて、ステップＳ２で対象の画像音声視聴装置に対しての再生履歴が無い場合は、ファイル情報の全件を読み込み（ステップＳ９）、記録された時間の新しい順に並べ替えて（ステップＳ１０）、プレイリストを表示する（ステップＳ１１）。そして、視聴者が選択可能として選択されたファイルの先頭を指定する（ステップＳ１２）。
マイクロコンピュータ２５は、ステップＳ１１のファイルリストを画像表示部１７や接続相手の画像音声視聴装置５３にＧＵＩ機能で表示する。
【００４２】
上述したファイルリストの表示例を図４に示す。
図４において、このリストでは選択されるファイルのファイル名７１、記録日時・時刻７２、記録時間７３、ファイルサイズ７４の各項目が色彩を変えた又は高輝度のハイライトで表示される。または矢印等でスクロール指定される表示も可能である。これをユーザーインターフェース２６によって上下左右に動かして選択する。
【００４３】
この場合、再生開始点としては選択されたファイルの先頭を指定する。
そして、再生指示があれば（ステップＳ１３）、指定点から再生を開始する（ステップＳ１４）。また、このリストには信号ソースの代表的なサムネイル画像を合わせて表示することも可能である。
【００４４】
また、上記の再生開始点指定処理から更に判断材料を増やし、細かい分類にて選択をしてもよい。例えば、f)として、a) 先頭から途中まで再生した,b) 途中から途中まで再生した場合において、再生終了点がファイルとして途中であるとはいえ最後に非常に近ければd) 最初から最後まで再生したと同様と判断する。
【００４５】
「最後に近い」か否かは最後までの残り時間で判断する。残り時間が数秒というところであった場合にはほぼ視聴済みと言える。
また、g) として、c) 途中から最後まで再生した場合において前回再生された途中の再生開始点がファイルの最後に非常に近ければ上述したf)と同様にほぼ視聴済みであったと判断し、d) 最初から最後まで再生したと同様に再生開始点を決定する。
【００４６】
以上の動作によりユーザーは過去に楽しんだ画像、音声を容易に継続して再生し、視聴することができる。
これにより、記憶した画像音声視聴装置５３毎のリストは本体のスイッチやＧＵＩ等のユーザーインターフェース２６での操作により画像音声視聴装置５３に接続していないときでも本体のＬＣＤパネル等の画像音声視聴装置５３や接続された外部画像音声視聴装置５３で見ることが可能である。
【００４７】
上述した本実施の形態によれば、接続した画像音声視聴装置５３の個体識別情報とその画像音声視聴装置５３に対して出力した画像・音声ソースコンテンツの再生履歴を関連付けて情報として記憶し、次回以降またその画像音声視聴装置５３での視聴時に記憶した情報から再生するファイルと頭出し位置を決定することにより、画像音声視聴装置５３へ出力される画像・音声を視聴するユーザーが嗜好と無関係のコンテンツを避けて、また、再生開始位置を探す手間を省いて、容易に期待する点から再生可能となる。
特に大容量の記録メディアを持つカメラ一体型記録再生装置、デジタルカメラ等でのファイル再生時のファイル選択および頭出しに有効である。
【００４８】
上述した本実施の形態に限らず、本発明の特許請求の範囲内であれば、適宜、その構成を変更しうることはいうまでもない。
【図面の簡単な説明】
【００４９】
【図１】本発明の実施の形態例を示すシステム構成図である。
【図２】記憶テーブルの内容例を示す図である。
【図３】再生開始点指定処理を示すフローチャートである。
【図４】ファイルリスト表示の例を示す図である。
【符号の説明】
【００５０】
１…画像音声記録再生装置、２…光学系、３…ズームレンズ、４…フォーカスレンズ、５…アイリス、６…イメージセンサー、７…アナログフロントエンド部、８…Ａ／Ｄコンバータ部、９…カメラ信号処理部、１０…ベースバンド信号処理部、１３，１５…画素数変換部、１４…GUI生成重畳部、１６…OSD生成重畳部、１７…画像表示部、１９…マイクロフォン、２０Ｌ，２０Ｒ…アンプ、２１…Ａ／Ｄ変換部、２２…レベル調整部、２３…指向性調整部、２４…ノイズ低減部、２５…マイクロコンピュータ、２６…ユーザーインターフェース、１９，２８，２９，３０…光学系ドライバ・アクチュエータ、３１…タイミング発生器、３２…同期信号、３３…ドライバー、４１，４２…符号量圧縮/伸張部、４４…記録メディア、４５…記録メディア、４６…外部ストリームインターフェース、４７…出力フォーマット変換部、４８…画像信号インターフェース部、４９…音声信号インターフェース部、５０…不揮発性メモリ、５１…画像音声視聴装置情報インターフェース部、５２…通信手段、５３…外部画像音声視聴装置、５４…画像信号インターフェース部、５５…音声信号インターフェース部、５６…装置情報インターフェース部、５７…装置情報EEPROM
【図１】
2007060018.tif 000003
【図２】
2007060018.tif 000004
【図３】
2007060018.tif 000005
【図４】
2007060018.tif 000006